(57)【要約】【課題】  撮影しても良い画像と撮影を禁止する画像の管理を行い、所定の画像だけ閲覧させることが可能な撮影画像管理システムを提供する。【解決手段】  入場時に利用者が、ゲート２０の所定の部位に携帯端末１０を翳すと、ゲート２０は、携帯端末１０内の専用のプログラムを起動するための命令と、画像保存用のＵＲＬを携帯端末１０に送信する。携帯端末１０では、ゲート２０から受信した命令により専用のプログラムを起動し、データ経路の切り替え、撮影音の差し替え、受信したＵＲＬの記録を行う。入場後、携帯端末１０に付属のカメラで撮影を行うと、特定音が撮影音として発せられ、また、撮影画像は一次メモリに取り込まれた後、通信ユニットに渡される。通信ユニットは、撮影画像を受け取ると、記録されているＵＲＬを読み出し、このＵＲＬ宛てに、端末ＩＤとともに撮影画像を送信する。画像保管サーバ５０では、受信したＵＲＬで特定される画像記憶部６０の所定の領域に、受信した撮影画像を、受信した端末ＩＤと対応付けて保存する。【選択図】  図１
2008172651.tif 000002
【特許請求の範囲】
【請求項１】
携帯端末により撮影された画像を管理するシステムであって、
前記携帯端末が接近した場合に、当該携帯端末に撮影画像の保存場所を示すＵＲＬを送信するゲートと、
前記受信したＵＲＬを保持するＵＲＬ保持手段と、撮影画像を、外部メモリに保存することなく、前記ＵＲＬ保持手段に保持されたＵＲＬで特定される宛先に送信する通信手段を有する携帯端末と、
前記携帯端末から受信した画像を画像記憶部に保存する画像保管サーバと、
を有することを特徴とする撮影画像管理システム。
【請求項２】
前記携帯端末は、前記ゲートに接近した際に、前記ゲートに自身の端末ＩＤを送信するものであり、
前記ゲートは、前記携帯端末から受信した端末ＩＤを前記画像保管サーバに送信するものであり、
前記画像保管サーバは、前記ゲートから受信した端末ＩＤが所定の記憶領域に記録されていない場合にはゲート別に記録し、前記ゲートから受信した端末ＩＤが前記記憶領域に記録されている場合には、当該記憶領域から前記端末ＩＤを削除するものであることを特徴とする請求項１に記載の撮影画像管理システム。
【請求項３】
前記ゲートは、前記携帯端末が接近した際に、前記ＵＲＬとともに、音声を特定音に切り替える命令を送信するものであり、
前記携帯端末は、付属のカメラによる撮影時に前記特定音を発するものであることを特徴とする請求項１または請求項２に記載の撮影画像管理システム。
【発明の詳細な説明】
【技術分野】
【０００１】
本発明は、閲覧制限等、撮影された画像の管理を行うための技術に関する。
【背景技術】
【０００２】
博物館や美術館等においては、展示物の撮影が禁止されていることが多い。このため、カメラを持った人が入場する際には、受付で預かったり、また、持ち込んでしまって撮影している場合には、それを没収するなどの措置がとられている。
【発明の開示】
【発明が解決しようとする課題】
【０００３】
しかしながら、最近ではカメラ付の携帯電話機が普及し、隠して持ち込むことができ、禁止されている場所であっても、気軽に撮影ができてしまうという問題がある。一方で、博物館や美術館等においては、撮影を禁止する必要のない展示物も展示されており、これらを全面的に禁止する必要もない。
【０００４】
そこで、本発明は、撮影しても良い画像と撮影を禁止する画像の管理を行い、所定の画像だけ閲覧させることが可能な撮影画像管理システムを提供することを課題とする。
【０００５】
なお、撮影した画像をサーバーで管理する技術も存在するが（例えば、特許文献１参照）、禁止区域における撮影画像の管理を行うものではない。
【特許文献１】特許第３４６２１４５号公報
【課題を解決するための手段】
【０００６】
上記課題を解決するため、本発明では、携帯端末により撮影された画像を管理するシステムであって、前記携帯端末が接近した場合に、当該携帯端末に撮影画像の保存場所を示すＵＲＬを送信するゲートと、前記受信したＵＲＬを保持するＵＲＬ保持手段と、撮影画像を、外部メモリに保存することなく、前記ＵＲＬ保持手段に保持されたＵＲＬで特定される宛先に送信する通信手段を有する携帯端末と、前記携帯端末から受信した画像を画像記憶部に保存する画像保管サーバを有する撮影画像管理システムを提供する。
【０００７】
また、本発明では、前記携帯端末が、前記ゲートに接近した際に、前記ゲートに自身の端末ＩＤを送信するものであり、前記ゲートは、前記携帯端末から受信した端末ＩＤを前記画像保管サーバに送信するものであり、前記画像保管サーバは、前記ゲートから受信した端末ＩＤが所定の記憶領域に記録されていない場合にはゲート別に記録し、前記ゲートから受信した端末ＩＤが前記記憶領域に記録されている場合には、当該記憶領域から前記端末ＩＤを削除するものである撮影画像管理システムを提供する。
【０００８】
さらに、本発明では、前記ゲートは、前記携帯端末が接近した際に、前記ＵＲＬとともに、音声を特定音に切り替える命令を送信するものであり、前記携帯端末は、付属のカメラによる撮影時に前記特定音を発するものである撮影画像管理システムを提供する。
【発明の効果】
【０００９】
本発明によれば、利用者がゲートを通過する際に、利用者が保有する携帯端末に、画像保存場所のＵＲＬを送信して記録させ、携帯端末で画像を撮影した際に、撮影画像を携帯端末内に保存することなく、画像保管サーバに送信させるようにしたので、管理者は、好ましくない撮影が行われた場合であっても、その画像を削除することができるとともに、問題のない画像であれば、閲覧させることも可能となる。
【００１０】
また、本発明によれば、利用者がゲートから入場する際に、携帯端末から端末ＩＤを受信して記録するとともに、利用者がゲートから退場する際に、携帯端末から端末ＩＤを受信して削除するようにし、閲覧請求があった際に、端末ＩＤが残っている場合にのみ閲覧を許可するようにしたので、利用者の入場中にのみ閲覧可能なように閲覧制限を行うことができる。
【発明を実施するための最良の形態】
【００１１】
以下、本発明の好適な実施形態について、図面を参照して詳細に説明する。
（１．システム構成）
図１は、本発明に係る撮影画像管理システムの一実施形態を示す構成図である。図１において、１０は携帯端末、２０はゲート、３０はゲート管理サーバ、４０はＵＲＬ記憶部、５０は画像保管サーバ、６０は画像記憶部である。
【００１２】
図１において、携帯端末１０は、ネットワーク接続機能、近距離通信機能、撮影機能を有する端末装置であり、インターネット接続機能、決済機能付のカメラ付携帯電話機に専用のプログラムを搭載することにより実現される。ゲート２０は、出入口の開閉を管理するゲート装置であり、その開閉機構は、駅の自動改札として設けられているＩＣカードを用いた開閉機構と同様のもので実現される。ゲート２０は、さらに、携帯端末１０との近距離通信を行う近距離通信機能を備えており、接近した携帯端末１０に画像保存先のＵＲＬを送信する機能を有する。
【００１３】
ゲート管理サーバ３０は、ＵＲＬ記憶部４０を管理するとともに、ネットワークを介してゲート２０と通信する機能を有している。ＵＲＬ記憶部４０は、各ゲート２０と、各ゲート２０に対応する画像保存用ＵＲＬの関係を記憶したデータベースである。
【００１４】
画像保管サーバ５０は、画像記憶部６０を管理するとともに、ネットワークを介して携帯端末１０と通信する機能を有している。画像記憶部６０は、携帯端末１０から受信した画像を所定のＵＲＬで特定される記憶領域に記憶する機能を有している。
【００１５】
（２．事前準備）
本実施形態では、携帯端末１０として、インターネット接続機能、決済機能付のカメラ付であって、所定のプログラムを起動させることが可能な市販の携帯電話機を採用する。本システムを利用するためには、専用のプログラムを携帯電話機で起動させることが必要となる。そのため、利用者は事前に、本システムを利用するための専用のプログラムを携帯電話機にダウンロードする。これは、例えば、その美術館のサイトをインターネット上に用意しておき、携帯電話機のインターネット接続機能を利用してアクセスし、プログラムを入手するようにすれば良い。この専用のプログラムをダウンロードすることにより、携帯電話機は、ゲート２０から受信したＵＲＬを記録する機能、通常設定されている一次メモリから外部メモリへのデータの経路を一次メモリから通信ユニットへと切り替える機能、カメラ撮影時に発する音を特定音に切り替える機能を有する携帯端末１０となる。
【００１６】
（３．処理動作）
次に、図１に示したシステムの処理動作について説明する。まず、入場時に利用者がゲート２０の所定の部位に携帯端末１０を翳すと、ゲート２０と携帯端末１０が無線通信を行う。この際、ゲート２０は、インターネットを介して、ゲート管理サーバ３０にアクセスし、ＵＲＬ記憶部４０に登録された自身に対応するＵＲＬを取得する。そして、専用のプログラムを起動するための命令とともに、取得したＵＲＬを携帯端末１０に送信する。
【００１７】
携帯端末１０では、ゲート２０から受信した命令により専用のプログラムを起動し、データ経路の切り替え、撮影音の差し替え、受信したＵＲＬの記録を行う。ＵＲＬの記録は、携帯端末１０が内蔵するＩＣの特定領域に記録される。
【００１８】
利用者が、ゲートを通過して入場した後、携帯端末１０に付属のカメラで撮影を行うと、特定音が撮影音として発せられる。この特定音は、場内における撮影を許可されたことを示す音であるので、通常の撮影音と明らかに異なる音であればどのような音を採用しても良い。撮影した際に、特定音以外の音が発生された場合には、警備員や他の観覧者が、その携帯端末１０が、ゲート２０を正しく通過していないものであることに気付くことになり、不正撮影の抑止力になる。
【００１９】
そして、携帯端末１０のカメラにより撮影が行われると、撮影画像は一次メモリに取り込まれた後、通信ユニットに渡される。通信ユニットは、撮影画像を受け取ると、ＩＣの特定領域に記録されているＵＲＬを読み出し、このＵＲＬ宛てに、撮影画像を送信する。この際、他の情報として、位置情報（基地局のエリア情報もしくはＧＰＳの経度・緯度・精度）、端末ＩＤも送信する。端末ＩＤは携帯端末を特定するものであれば、どのようなものでも良いが、本実施形態では、携帯端末に内蔵されたＩＣの個体識別ＩＤを用いている。ＩＣの個体識別ＩＤは、ＩＣを特定するものであるが、１つの携帯端末に１つのＩＣが実装されているため、携帯端末を特定する端末ＩＤとしての役割も果たすものである。
【００２０】
画像保管サーバ５０では、受信したＵＲＬで特定される画像記憶部６０の所定の領域に、受信した撮影画像を、受信した端末ＩＤと対応付けて保存する。上記のようにして、携帯端末１０で撮影された画像は全て、携帯端末１０内に保存されることなく、画像保管サーバ５０に転送され、画像記憶部６０に保存されていく。
【００２１】
利用者が退場する際も、入場時と同様に、携帯端末１０でゲート２０の所定の部位に携帯端末１０を翳すと、ゲート２０と携帯端末１０が無線通信を行う。この際、ゲート２０は、専用のプログラムを停止するための命令を送信する。
【００２２】
携帯端末１０では、ゲート２０から受信した命令により専用のプログラムを停止し、データ経路を元の経路すなわち外部メモリへの経路に切り替え、撮影音を特定音から元の音に差し替える処理を行う。
【００２３】
管理者は、画像記憶部６０に保存された画像を閲覧し、不適切な画像である場合は、その削除を行う。ここで、不適切な画像としては、例えば、撮影が禁止されている展示物が撮影されていた画像などが該当する。これにより、画像記憶部６０には、適切な画像のみが残ることになる。
【００２４】
上記利用者は、撮影した画像を閲覧する場合には、まず、自身の携帯端末１０内のＩＣに記録されたＵＲＬを利用して、画像保管サーバ５０にアクセスする。すると、画像保管サーバ５０は、携帯端末１０に認証画面を送信するので、利用者は、携帯端末１０の端末ＩＤを入力して送信する。画像保管サーバ５０は、受信した端末ＩＤに対応付けられている画像のみを画像記憶部６０から抽出して携帯端末１０に送信する。これにより、利用者は記録された撮影画像を閲覧することが可能となる。
【００２５】
画像記憶部６０においては、管理者により不適切な画像が削除されているので、利用者は適切な画像しか閲覧することができない。したがって、撮影が禁止されている展示物を撮影したとしても、上記のように携帯端末１０内には保存されず画像記憶部６０に転送され、画像記憶部６０においては、管理者により削除されてしまうため、閲覧することができない。
【００２６】
上記の例では、画像記憶部６０において削除されていない画像については、撮影後はいつでも閲覧が可能となる。しかし、本システムでは、入場中のみ閲覧が可能なように制限することも可能である。次に、入場中にのみ閲覧可能に制限する場合について説明する。この場合、利用者が携帯端末１０でゲート２０の所定の部位に携帯端末１０を翳し、ゲート２０と携帯端末１０が無線通信を行う際、ゲート２０は、専用のプログラムを起動するための命令とともに、取得したＵＲＬを携帯端末１０に送信する一方、携帯端末１０から端末ＩＤを受信する。そして、これをインターネットを介して、画像保管サーバ５０に送信する。画像保管サーバ５０では、受信した端末ＩＤをゲートＩＤ別に記録する。
【００２７】
また、利用者が退場するときは、携帯端末１０でゲート２０の所定の部位に携帯端末１０を翳し、ゲート２０と携帯端末１０が無線通信を行う際、ゲート２０は、専用のプログラムを停止するための命令を送信する一方、携帯端末１０から端末ＩＤを受信する。そして、これをインターネットを介して、画像保管サーバ５０に送信する。画像保管サーバ５０では、受信した端末ＩＤでゲートＩＤ別に記録された端末ＩＤを参照し、同一の端末ＩＤが存在した場合には、その端末ＩＤを画像保管サーバ５０から削除する。
【００２８】
これにより、入場中の利用者が保有する携帯端末１０の端末ＩＤのみが画像保管サーバ５０に記録されることになる。そして、利用者が撮影した画像を閲覧しようとする場合に、画像保管サーバ５０からの認証画面において端末ＩＤを入力して送信すると、画像保管サーバ５０は、受信した端末ＩＤとゲートＩＤの組み合わせが記録されているかどうかを確認し、記録されている場合には、受信した端末ＩＤに対応付けられている画像のみを画像記憶部６０から抽出して携帯端末１０に送信する。これにより、利用者は、入場中に限り、記録された撮影画像を閲覧することが可能となる。
【００２９】
以上、本発明の好適な実施形態について説明したが、本発明は上記実施形態に限定されず、種々の変形が可能である。例えば、上記実施形態では、入場の際、携帯端末１０をゲート２０の所定の部位に翳すと、ゲート２０がゲート管理サーバ３０にアクセスし、ＵＲＬ記憶部４０に登録された自身に対応するＵＲＬを取得するようにしたが、自身に対応するＵＲＬを事前にゲート２０の所定の記憶領域に記憶させておき、ゲート管理サーバ３０にアクセスすることなく、記憶しているＵＲＬを携帯端末１０に送信するようにしても良い。
【００３０】
また、上記実施形態では、端末ＩＤとしてＩＣの個体識別ＩＤを採用したが、携帯端末１０の製造番号等の他のＩＤを用いても良い。
【図面の簡単な説明】
【００３１】
【図１】本発明に係る撮影画像管理システムの一実施形態における機能ブロック図である。
【符号の説明】
【００３２】
１０・・・携帯端末
２０・・・ゲート
３０・・・ゲート管理サーバ
４０・・・ＵＲＬ記憶部
５０・・・画像保管サーバ
６０・・・画像記憶部
【図１】
2008172651.tif 000003